(57)【要約】【課題】操作部への着脱が容易であり、かつ位置決めを強固に行うことができる洗浄アダプタを提供する。【解決手段】筐体と、前記筐体の両側面に配置され、各水平部の先端部が互いに向かい合う断面がＬ字形状の一対のシリンダ把持部材と、筐体の上面を摺動自在に貫通し、下端部にシリンダのフランジと当接するフランジが形成されたプラグとからなり、シリンダ把持部材は筐体に対して回動自在であり、弾性部材により各水平部の先端部が互いに向かい合う方向に常時付勢されており、プラグは、弾性部材により下方向に常時付勢されており、シリンダ把持部材のテーパ面がシリンダのフランジの端部と当接し、弾性部材による付勢力により、シリンダ把持部材の水平部の先端部がシリンダの外面を挟持すると同時に、プラグのフランジとシリンダ把持部材の水平部とがシリンダのフランジを挟持する洗浄アダプタを提供する。【選択図】図２
2011101773.tif 000002
【特許請求の範囲】
【請求項１】
内視鏡の操作部に配置された吸引用あるいは送気送水用のシリンダに装着される洗浄アダプタであって、
前記洗浄アダプタは、
いずれかの両側面及び下面中央が開放された筐体と、
垂直部が前記筐体の開放された両側面のそれぞれに配置され、水平部が該筐体の下方に位置し、各水平部の先端部が互いに向かい合う、断面がＬ字形状の一対のシリンダ把持部材と、
前記筐体の上面を摺動自在に貫通し、下端部に前記シリンダのフランジと当接するためのフランジが形成されたプラグと、からなり、
前記シリンダ把持部材は、前記筐体に対して回動自在であり、
前記シリンダ把持部材は、第１の弾性部材により、各水平部の先端部が互いに向かい合う方向に常時付勢されており、
前記プラグは、第２の弾性部材により、下方向に常時付勢されており、
前記シリンダ把持部材の水平部の先端部にはテーパ面が形成されており、該テーパ面は前記シリンダのフランジの端部と当接する位置に設けられ、
前記テーパ面が前記シリンダのフランジの端部と当接した状態で前記筐体が下方向に押されると、該テーパ面と該シリンダのフランジの端面とが擦れ合って、前記シリンダ把持部材が前記第１の弾性部材による付勢力に抗して外側に回動し、該シリンダ把持部材の各水平部の先端部が該シリンダのフランジの端面を乗り越えると、該第１の弾性部材による付勢力により、該シリンダ把持部材が内側に回動して各水平部の先端部が該シリンダの外面を挟持すると同時に、前記第２の弾性部材による付勢力により、前記プラグのフランジと該シリンダ把持部材の水平部とが該シリンダのフランジを挟持する、
ことを特徴とする洗浄アダプタ。
【請求項２】
前記シリンダ把持部材は、前記筐体に挿通されたシャフトを軸として回動し、
前記第１の弾性部材は、前記シャフトに巻回されたトーションばねであり、
前記トーションばねは、一方の腕部が前記シリンダ把持部材と、他方の腕部が前記筐体と接する、
ことを特徴とする請求項１に記載の洗浄アダプタ。
【請求項３】
前記第２の弾性部材は、前記プラグに巻回されたコイルばねであり、該コイルばねの一端は、前記筐体の上部下面に固定され、他端は、該プラグの下端部に設けられたフランジの上面に固定されていることを特徴とする請求項１又は請求項２に記載の洗浄アダプタ。
【請求項４】
前記プラグは、上端部にもフランジを有し、
前記上端部のフランジは、前記プラグが前記筐体に対して摺動するときに、該筐体と当接する、
ことを特徴とする請求項１から請求項３のいずれか一項に記載の洗浄アダプタ。
【請求項５】
前記プラグは、小径部と大径部とを有し、
前記小径部が、前記筐体に挿通されており、
前記小径部と前記大径部との段差部が、前記筐体と当接する、
ことを特徴とする請求項１から請求項４のいずれか一項に記載の洗浄アダプタ。
【請求項６】
前記小径部は、前記プラグの軸に垂直な断面が非円形であり、
前記筐体に設けられる前記プラグが挿通する孔も、前記非円形である、
ことを特徴とする請求項１から請求項５のいずれか一項に記載の洗浄アダプタ。
【発明の詳細な説明】
【技術分野】
【０００１】
本発明は、内視鏡の操作部に用いられる洗浄アダプタに関する。
【背景技術】
【０００２】
一般に、患者の体腔内を観察するための医療用内視鏡システムは、体腔内を観察するために体腔内に挿入される長尺な挿入部先端に、体腔内の撮像を行うためのＣＣＤ（Charge-Coupled Device）やＣＭＯＳ（Complementary Metal-Oxide Semiconductor）等の撮像素子を有した内視鏡と、該内視鏡内に挿通されたライトガイドを介して、挿入部先端から体腔内を照明するための照明光を発生する光源部や内視鏡の撮像素子から出力される画像信号に所定の処理を施す画像処理部等を備えるビデオプロセッサと、そしてビデオプロセッサから出力される画像信号を表示するモニタとから構成されている。
【０００３】
内視鏡は、体腔内に挿入されるものであるため、検査に使用される度に体腔内の体液や、粘膜、血液等が付着し汚れてしまう。従って、内視鏡の術者は、内視鏡を使用する度に内視鏡を洗浄・消毒して内視鏡を清潔に保つ必要がある。
【０００４】
そして、検査に使用された内視鏡は、外観部だけでなく鉗子チャンネル、送気・送水チャンネル等の内視鏡内に設けられた管路内も、上述した種々の付着物により汚染されている。内視鏡内部のこのような管路内を洗浄する場合には、送気・送水チャンネルであれば、送気ボタンや送水ボタンを取り外して洗浄アダプタを装着して洗浄を行い、吸引チャンネルや鉗子チャンネルであれば、酵素洗剤液等を用いてチャンネル掃除用のブラシで管路内をブラッシングし、その後、チャンネル洗浄装置を取り付けて水で十分にすすいで洗浄し、その後、管路内を消毒剤等で消毒する。このような一連の洗浄・消毒作業を行うことにより、内視鏡を清潔に保ち次回の検査に使用することができる。
【０００５】
上記の洗浄作業において、管路内の洗浄を行う際に、例えば特許文献１に示すような洗浄アダプタが用いられている。操作部には、送気送水用管路や吸引用管路と接続されたシリンダがそれぞれ設けられており、さらに各シリンダの入口部にはフランジが設けられている。これらのフランジに洗浄アダプタのシリンダ把持部を挟着させて洗浄アダプタ本体とフランジとの位置決めを行った後、洗浄アダプタの摺動部を移動させて、洗浄アダプタのシリンダ固定部材とシリンダ把持部とでフランジを挟持させることによって、洗浄アダプタを操作部に装着する。洗浄アダプタを操作部に装着した後、洗浄アダプタに洗浄液の供給装置を接続して洗浄液を管路に圧送し、各管路の洗浄、消毒、及び乾燥を行う。
【先行技術文献】
【特許文献】
【０００６】
【特許文献１】特開２００４−４９６９９号公報
【発明の概要】
【発明が解決しようとする課題】
【０００７】
ところが、上記のような従来の洗浄アダプタの構造においては、洗浄アダプタ本体をシリンダ口のフランジに位置決めした上で、摺動部を移動させて洗浄アダプタを操作部に装着するため、位置決め作業と装着作業とを行う必要がある。このため、位置決め作業において洗浄アダプタのシリンダ把持部のフランジに対する挟着が不完全な場合、摺動部を正常に移動させることができず、洗浄アダプタの取付作業をやり直さなければならない。また、上記の洗浄アダプタでは、例えば、摺動部を構成する複数の部材において各部材の隙間に異物や汚れが付着したり、洗浄アダプタ本体の内部に異物が混入した場合、これらの異物や汚れを除去するには、部材を洗浄アダプタ本体から取り外したり分解したりしなければならない可能性がある。
【０００８】
本発明は上記の事情に鑑みてなされたものである。本発明の目的は、洗浄アダプタを容易に操作部に位置決め固定しつつ、洗浄アダプタを介して洗浄液を内視鏡内の管路に圧送する際に洗浄アダプタと操作部との装着を強固に維持することができ、さらに操作部との着脱をきわめて容易に行うことができる洗浄アダプタを提供することである。
【課題を解決するための手段】
【０００９】
本発明の一実施形態における洗浄アダプタは、内視鏡の操作部に配置された吸引用あるいは送気送水用のシリンダに装着される洗浄アダプタであって、洗浄アダプタは、いずれかの両側面及び下面中央が開放された筐体と、垂直部が筐体の開放された両側面のそれぞれに配置され、水平部が該筐体の下方に位置し、各水平部の先端部が互いに向かい合う、断面がＬ字形状の一対のシリンダ把持部材と、筐体の上面を摺動自在に貫通し、下端部にシリンダのフランジと当接するためのフランジが形成されたプラグとからなり、シリンダ把持部材は、筐体に対して回動自在であり、シリンダ把持部材は、第１の弾性部材により、各水平部の先端部が互いに向かい合う方向に常時付勢されており、プラグは、第２の弾性部材により、下方向に常時付勢されており、シリンダ把持部材の水平部の先端部にはテーパ面が形成されており、該テーパ面は前記シリンダのフランジの端部と当接する位置に設けられ、テーパ面がシリンダのフランジの端部と当接した状態で筐体が下方向に押されると、該テーパ面と該シリンダのフランジの端面とが擦れ合って、シリンダ把持部材が第１の弾性部材による付勢力に抗して外側に回動し、該シリンダ把持部材の各水平部の先端部が該シリンダのフランジの端面を乗り越えると、該第１の弾性部材による付勢力により、該シリンダ把持部材が内側に回動して各水平部の先端部が該シリンダの外面を挟持すると同時に、第２の弾性部材による付勢力により、プラグのフランジと該シリンダ把持部材の水平部とが該シリンダのフランジを挟持する。
【００１０】
好ましくは、シリンダ把持部材は、筐体に挿通されたシャフトを軸として回動し、第１の弾性部材は、シャフトに巻回されたトーションばねであり、トーションばねは、一方の腕部がシリンダ把持部材と、他方の腕部が前記筐体と接する。また、第２の弾性部材は、プラグに巻回されたコイルばねであり、該コイルばねの一端は、筐体の上部下面に固定され、他端は、該プラグの下端部に設けられたフランジの上面に固定されている。これにより、これらのばねの中空部にプラグ又はシャフトを挿通させるため、筐体内にばねを独立して設ける場合よりも筐体内の省スペース化を図ることができる。
【００１１】
さらに、プラグは、上端部にもフランジを有し、上端部のフランジは、プラグが筐体に対して摺動するときに、該筐体と当接する。また、プラグは、小径部と大径部とを有し、小径部が筐体に挿通されており、小径部と大径部との段差部が筐体と当接する。これにより、プラグ上端に設けられたフランジと、小径部及び大径部による段差部とが、プラグの軸方向への移動を適正な距離にて規制することができる。
【００１２】
そして、小径部はプラグの軸に垂直な断面が非円形であり、筐体に設けられるプラグが挿通する孔も非円形である。これにより、プラグが軸方向に回動しないように筐体によって規制されるため、洗浄アダプタを操作部に装着する際の安定性を高めることができる。
【発明の効果】
【００１３】
本発明の洗浄アダプタの構造によれば、洗浄アダプタを押し込む動作１つで容易に操作部に装着が可能になる。また、操作部から取り外す際もシリンダ把持部材を押し込むだけでシリンダとの係合を解除することができる。さらに、プラグにフランジを設けることにより、プラグの移動に応じてフランジが筐体やシリンダ把持部材と当接し、プラグの移動距離が規制されるため、洗浄アダプタの着脱の際にプラグが不意に操作部に当たって操作部を損傷しないように防止することができる。
【図面の簡単な説明】
【００１４】
【図１】本発明の一実施形態における洗浄アダプタを内視鏡に装着した状態を示す概略図である。
【図２】本発明の一実施形態における洗浄アダプタを内視鏡に装着した状態を示す一部拡大断面図である。
【図３】（ａ）は、図２のＡ−Ａ線における拡大断面図を示し、（ｂ）は、図２のＢ−Ｂ線における拡大断面図を示す。
【図４】（ａ）〜（ｃ）は、本発明の一実施形態における洗浄アダプタを内視鏡の操作部のシリンダに装着する際の状態を段階的に示す模式図である。
【図５】本発明の一実施形態における洗浄アダプタを内視鏡の操作部のシリンダに装着する際の状態を示す拡大図である。
【図６】図５のＣ−Ｃ線における拡大断面図を示す。
【発明を実施するための形態】
【００１５】
以下、図面を参照して、本発明の一実施形態における洗浄アダプタの構造について説明する。なお、複数の図にまたがって同じ部材を示す場合は同じ番号を付すこととする。
【００１６】
図１は、本実施形態における洗浄アダプタと該洗浄アダプタを取り付けた内視鏡の操作部を示す図である。洗浄アダプタ１は、送気あるいは送水ボタンを取り外した後の操作部２の送気送水用管路及び吸引用管路のシリンダ口に取り付ける。取り付けの詳細については後述する。洗浄アダプタ１を各シリンダ口に取り付けた後、洗浄アダプタ１と接続されている外部の洗浄装置（図示せず）から洗浄液を各管路に供給して洗浄を行う。内視鏡１００の挿入部８の先端は、遠隔操作で湾曲可能な湾曲部とその先の先端固定部（なお、その内部に対物レンズ系や撮像素子が配置されている）となっており、この湾曲部を湾曲操作するためのアングルノブ３が操作部２の側面部に取り付けられている。アングル固定レバー４は、アングルノブ３を操作して湾曲部の湾曲角度を所望の角度で保持しておく際に使用する。また、操作部２の基端側の上面部及び下面部には、施術時における内視鏡の種々の制御を行うための複数の制御ボタン等からなるボタン群７が設けられている。操作部２の先端側に近い位置、つまり内視鏡の挿入部８との連結部の近傍には処置具挿入口５が形成されている。術者は、処置具挿入口５から、患者の体腔内における生検や治療等の種々の施術を行うための処置具を挿入し、内視鏡内に設けられた処置具挿通チャンネル（図示せず）を通じて挿入部８の先端の処置具用開口（図示せず）から処置具を出没させ、体腔内の組織を採取する等の施術を行う。さらに、操作部２には、ユニバーサルチューブ６が接続されている。ユニバーサルチューブ６は、ビデオプロセッサ（図示せず）の光源部にて発生される照明光を挿入部８の先端に送ったり、アングルノブ３、アングル固定レバー４、ボタン群７の各ボタンからの操作信号をビデオプロセッサに伝送したりする。また、観察手段として撮像素子を用いる場合は、ユニバーサルチューブ６は、挿入部８の先端部に配設された撮像素子（図示せず）からの映像信号をビデオプロセッサに伝送する。
【００１７】
図２に、洗浄アダプタ１を操作部２に装着したときの洗浄アダプタ１及び操作部２の一部拡大断面図を示す。下側中央ならびに奥行き方向（図２の紙面と直行する方向）の両側面が開放された四角形状の洗浄アダプタ１の筐体１０の上面には、吸引用プラグ１１と送気送水用プラグ１２を挿通するための孔が２つ設けられている。吸引用プラグ１１及び送気送水用プラグ１２の本体は、孔にそれぞれ摺動自在に嵌っている円柱体であり、吸引用プラグ１１と送気送水用プラグ１２のそれぞれには、その上下端部に、フランジ１１ａ，１１ｂとフランジ１２ａ，１２ｂがそれぞれ設けられている。なお、図２において、吸引用プラグ１１と送気送水用プラグ１２には、外部から注入された洗浄液が通る液体注入管路を図示していないが、シリンダ管路２１，２２に洗浄液を送り込むことが可能な任意の形状の液体注入管路を設けることができる。筐体１０内において、吸引用プラグ１１の側周面には吸引用プラグ１１を巻回するようにコイルばね１７が設けられている。このコイルばね１７は、筐体１０の上部下面と下端部のフランジ１１ａの上面との間に弾装されており、その一端が筐体１０の内の上部下面に、また、その他端がフランジ１１ａの上面にそれぞれ接着ないし融着により固定されている。そして、洗浄アダプタ１を操作部２に装着する際に、コイルばね１７はフランジ１１ａを操作部２側に付勢する。そして、フランジ１１ａの下面が吸引用シリンダ２３のフランジ２３ｂの上面と当接する。これにより、吸引用プラグ１１は、コイルばね１７を介して、操作部２の吸引用シリンダ２３に対して位置決め固定される。
【００１８】
また、送気送水用プラグ１２の側周面には送気送水用プラグ１２を巻回するようにコイルばね１８が設けられている。このコイルばね１８も、筐体１０の上部下面と下端部のフランジ１２ａの上面との間に弾装されており、コイルばね１７と同様に、その一端が筐体１０の内の上部下面に、また他端がフランジ１２ａの上面に、それぞれ接着ないし融着により固定されている。そして、コイルばね１８は、送気送水用プラグ１２を操作部２側に付勢する。そして、送気送水用プラグ１２のフランジ１２ａの下面が送気送水用シリンダ２４のフランジ２４ｂの上面と当接する。これにより、送気送水用プラグ１２は、コイルばね１８を介して、操作部２の送気送水用シリンダ２４に対して位置決め固定される。
【００１９】
吸引用プラグ１１と送気送水用プラグ１２の頂部にも、先にも述べたように、フランジ１１ｂとフランジ１２ｂがそれぞれ設けられている。従って、コイルばね１７，１８の付勢力により、筐体１０が上方に押し上げられたとしても、フランジ１１ｂ，１２ｂの下面が筐体１０の上面と当接することにより、吸引用プラグ１１と送気送水用プラグ１２とが筐体１０から抜け止めされるとともに、吸引用プラグ１１と送気送水用プラグ１２の軸方向の移動が規制される。
【００２０】
筐体１０内の左右両側面間（図２の左右方向）には、一対のシャフト１４が、該両側面の奥行き方向の両端にそれぞれ架設されており、該一対のシャフト１４は、筐体１０の両側面に設けられた夫々の孔を貫通して筐体１０の外部にまで延びており、一対のシャフト１４の両端は、筐体１０の開放された両側面（図２の奥行き方向）をそれぞれ覆う断面がＬ字形状の一対のシリンダ把持部材１３の両側から張り出した軸受け部１３ｃに当接し、融着等により固定されている。従って、一対のＬ字状のシリンダ把持部材１３は、それぞれのシャフト１４を軸として筐体１０に対して回動自在であり、該Ｌ字状のシリンダ把持部材１３の水平部１３ａは、筐体１０の下側に位置し、該水平部１３ａの先端部１３ｂは、一対の該Ｌ字状シリンダ把持部材１３の垂直部が筐体１０の開放された両側面を覆う状態では、筐体１０の下側において互いに向かい合う。また、図３（ｂ）にも示されるように、それぞれのシャフト１４には、筐体１０内においてトーションばね１５，１６が敷設されており、トーションばね１５，１６の一端は、Ｌ字状のシリンダ把持部材１３の垂直部内面に当接し、トーションばね１５，１６の他端は、筐体１０の両側面（図２の左右方向）の下側から筐体中央に張り出したばね受け部１０ａ，１０ｂに当接されている。従って、一対のＬ字状のシリンダ把持部材１３のそれぞれを、シャフト１４を中心として、筐体１０の外側に回動させると、各トーションばね１５，１６の付勢力が働き、シリンダ把持部材１３のそれぞれを、元の位置に戻そうとする。
【００２１】
一対のシリンダ把持部材１３の一部を構成する水平部１３ａのそれぞれの先端部１３ｂは、洗浄アダプタ１が操作部２の吸引用シリンダ２３及び送気送水用シリンダ２４に装着されるときには、吸引用シリンダ２３及び送気送水用シリンダ２４の外周面を両側から挟み込んだ状態でフランジ２３ｂ、２４ｂの下面と係合する。先端部１３ｂは、吸引用シリンダ２３及び送気送水用シリンダ２４を両側から挟み込むように、その先端縁の形状が、図５に示すように、所定の間隔を隔てた２つの半円形（吸引用シリンダ２３及び送気送水用シリンダ２４の外周の半円周の形状と略同じ）の切り欠き部が形成された形状となっている。従って、洗浄アダプタ１を操作部２に装着した状態では、一対のシリンダ把持部材１３は、トーションばね１５，１６の付勢力によって、水平部１３ａの先端縁の切り欠き部が、吸引用シリンダ２３及び送気送水用シリンダ２４の外周面を両側から挟み込んで、嵌り合う。
【００２２】
また、図６に示すように、水平部１３ａの先端縁の切り欠き部は、外側に向かって下向きテーパ状に形成されており、吸引用シリンダ２３及び送気送水用シリンダ２４のフランジ２３ｂ，２４ｂの端部２３ａ，２４ａは、内側に向かって上向きテーパ状に形成されている。従って、洗浄アダプタ１を吸引用シリンダ２３及び送気送水用シリンダ２４に装着すべく、吸引用プラグ１１と送気送水用プラグ１２を、吸引用シリンダ２３及び送気送水用シリンダ２４にあてがうと、図６に示すように、まず、先端部１３ｂのテーパ面とフランジ２３ｂ，２４ｂの端部２３ａ，２４ａに形成されたテーパ面とが係合し、さらに、筐体１０を下方向に押し込んでいくと、このテーパ面同士が擦れ合って、シリンダ把持部材１３が、トーションばね１５，１６の付勢力に抗して外側に回動し、先端部１３ｂのテーパ面が、フランジ２３ｂ，２４ｂのテーパ面を乗り越えると、トーションばね１５，１６の付勢力により、一対のシリンダ把持部材１３は、内側に回動して、吸引用シリンダ２３及び送気送水用シリンダ２４の外周面を両側から挟み込む。これと同時に、コイルばね１７，１８の下方向への付勢力により、吸引用プラグ１１及び送気送水用プラグ１２のフランジ１１ａ，１２ａの下面とシリンダ把持部材１３の水平部１３ａの上面とで、吸引用シリンダ２３及び送気送水用シリンダ２４のフランジ２３ｂ，２４ｂを上下方向から挟持する。これにより、洗浄アダプタ１の吸引用シリンダ２３及び送気送水用シリンダ２４ひいては操作部２に対する位置決め固定を強固に行うことができ、洗浄中、洗浄液の圧送時等において、吸引用プラグ１１や送気送水用プラグ１２が吸引用シリンダ２３や送気送水用シリンダ２４から脱落して洗浄アダプタ１が操作部２から外れる等の現象を防止することができる。
【００２３】
吸引用プラグ１１及び送気送水用プラグ１２における吸引用シリンダ２３及び送気送水用シリンダ２４への挿入端は、それぞれテーパ状に形成されており、吸引用プラグ１１はテーパ部１１ｃを、送気送水用プラグ１２はテーパ部１２ｃをそれぞれ有する。吸引用プラグ１１のテーパ部１１ｃは、吸引用プラグ１１の挿入端部に円錐台形状の部材として設けられている。吸引用プラグ１１内には、洗浄液圧送用の管路が吸引用プラグ１１の一端から他端にわたって軸方向に設けられており、管路を圧送された洗浄液はテーパ部１１ｃの先端からシリンダ管路２１へ送り出される。また、送気送水用プラグ１２内にも、洗浄液圧送用の管路が送気送水用プラグ１２の一端から他端にわたって軸方向に設けられており、管路を圧送された洗浄液はテーパ部１２ｃの洗浄液送出口１２ｄからシリンダ管路２２へ送り出される。また、シリンダ管路２２には、送気や送水等を行うための各種管路２５，２６が設けられており、送気送水用プラグ１２の洗浄液送出口１２ｅは管路２５に、洗浄液送出口１２ｆは管路２６にそれぞれ対向する。なお、吸引用プラグ１１と送気送水用プラグ１２の軸方向の長さが異なっているため、洗浄アダプタ１を操作部２に装着する際に、プラグの種類を容易に判別してプラグとシリンダを差し違えることなく作業することができる。また、長い方の送気送水用プラグ１２を先に挿入することで、吸引用プラグ１１を挿入する際に送気送水用プラグ１２をガイドとして用いることもできることから、各プラグが同じ長さである場合よりも装着作業をより容易に行うことができる。
【００２４】
図３（ａ）に図２のＡ−Ａ線による断面図、図３（ｂ）に図２のＢ−Ｂ線による断面図をそれぞれ示す。図３（ａ）に示すように、送気送水用プラグ１２は、筐体１０に挿通される部分が小径部１２ｇを形成しており、この小径部１２ｇは、断面が円柱の両側の一部を切り欠いた略小判形状となるように形成されている。また、筐体１０に設けられている孔は、小径部１２ｇの断面形状に合わせた形状となっている。これにより、送気送水用プラグ１２が軸方向に垂直な面（すなわち、図３（ａ）の紙面に平行な面）において回動しないように規制される。なお、小径部１２ｇは筐体１０内において大径部１２ｈに移行しており、筐体１０が操作部２側に移動したとき、小径部１２ｇと大径部１２ｈの段差部が筐体１０の上部下面と当接する。従って、大径部１２ｈの上面と筐体１０の下面が当接することにより、筐体１０の操作部側への押し込みの移動距離を制限することができる。
【００２５】
次に、洗浄アダプタ１の操作部２への装着方法について説明する。図４（ａ）〜（ｃ）に、洗浄アダプタ１の操作部２への装着を段階的に示す。図４（ａ）に示すように、洗浄アダプタ１を操作部２に接近させているときは、一対のシリンダ把持部材１３はトーションばね１５，１６によって水平部１３ａが吸引用プラグ１１及び送気送水用プラグ１２側に付勢されている。また、吸引用プラグ１１及び送気送水用プラグ１２のフランジ１１ａ，１２ａは、コイルばね１７，１８によって、一対のシリンダ把持部材１３のそれぞれの水平部１３ａ側に付勢されている。従って、水平部１３ａの上面が、フランジ１１ａ，１２ａの下面と当接した状態で維持される。
【００２６】
次に、図４（ｂ）に示すように、洗浄アダプタ１を操作部２に装着する際は、まず、シリンダ把持部材１３の水平部１３ａの先端部１３ｂに形成されたテーパ面が、吸引用シリンダ２３及び送気送水用シリンダ２４のフランジ２３ｂ，２４ｂの端部２３ａ，２４ａに形成されたテーパ面に当接する。そして、洗浄アダプタ１の筐体１０をさらに押し下げることにより、端部２３ａ，２４ａのテーパ面が、水平部１３ａの先端部１３ｂを外側へ摺動させ、シリンダ把持部材１３を外側に押し退ける力が働く。この押し退ける力は、洗浄アダプタ１を押し下げる力を大きくするにつれて大きくなる。この押し退ける力が、トーションばね１５，１６によるシリンダ把持部材１３に対する付勢力よりも大きくなると、シリンダ把持部材１３はシャフト１４を軸にして外側へ開く方向に回動する。なお、同様の理由から、シリンダ把持部材１３と対向するもう１つのシリンダ把持部材１３も外側へ開く方向に回動する。このとき、２つのシリンダ把持部材が回動している間も、吸引用プラグ１１及び送気送水用プラグ１２のフランジ１１ａ，１２ａはコイルばね１７，１８の付勢力によりそれぞれのシリンダ把持部材１３に当接した状態が維持される。従って、洗浄アダプタ１の筐体１０を押し下げていくことにより、一対のシリンダ把持部材１３が、観音扉のように、それぞれ徐々に外側へ開くと同時に、吸引用プラグ１１及び送気送水用プラグ１２の操作部２側の先端は、フランジ１１ａ，１２ａを一対のシリンダ把持部材１３にそれぞれ当接させつつ下降し、吸引用シリンダ２３及び送気送水用シリンダ２４のシリンダ管路２１，２２内に進行していく。
【００２７】
さらに洗浄アダプタ１の筐体１０を押し下げると、一対のシリンダ把持部材１３がさらに外側へ開いていく。すると、フランジ１１ａ，１２ａが２つのシリンダ把持部材の間を移動し、フランジ１１ａ，１２ａの下面が吸引用シリンダ２３及び送気送水用シリンダ２４のフランジ２３ｂ，２４ｂの上面と当接する。また、一対のシリンダ把持部材１３も下降し、シリンダ把持部材１３の水平部１３ａの先端部１３ｂが、フランジ２３ｂ，２４ｂの端部２３ａ，２４ａを越えて移動したところで、トーションばね１５，１６の付勢力によって、シリンダ把持部材１３の水平部１３ａの先端部１３ｂが、吸引用シリンダ２３及び送気送水用シリンダ２４の外周面と嵌め合う。これにより、図４（ｃ）に示すように、コイルばね１７，１８ならびにトーションばね１５，１６により、吸引用シリンダ２３及び送気送水用シリンダ２４のフランジ２３ｂ，２４ｂが、吸引用プラグ１１及び送気送水用プラグ１２のフランジ１１ａ，１２ａと一対のシリンダ把持部材１３のそれぞれの水平部１３ａとによって挟持される。従って、洗浄アダプタ１が、吸引用シリンダ２３及び送気送水用シリンダ２４に対して、垂直方向及び水平方向において位置決め固定され、洗浄液等を圧送中に洗浄アダプタ１が操作部２から脱落する等の現象を防止することができる。
【００２８】
洗浄アダプタ１を操作部２に装着して内視鏡内の各管路を洗浄、消毒、乾燥等をした後、洗浄アダプタ１を操作部２から取り外す際は、術者は一対のシリンダ把持部材１３の上部側面を筐体１０側に押し込むことにより、一対のシリンダ把持部材１３を、それぞれのシャフト１４を軸として回動させて外側へ開き、水平部１３ａと吸引用シリンダ２３及び送気送水用シリンダ２４のフランジ２３ｂ，２４ｂとの嵌め合いを解除する。そして、一対のシリンダ把持部材１３を外側へ開いた状態を維持して洗浄アダプタ１を持ち上げ、一対のシリンダ把持部材１３の水平部１３ａが上方に移動して吸引用シリンダ２３及び送気送水用シリンダ２４のフランジ２３ｂ，２４ｂを乗り越えたところでシリンダ把持部材１３の押し込みをやめると、シリンダ把持部材１３が内側へ閉じて、シリンダ把持部材１３の水平部１３ａの上面とプラグ１１，１２のフランジ１１ａ，１２ａの下面が当接し、洗浄アダプタ１は操作部２に装着前の状態に戻る。このように、本発明の洗浄アダプタによれば、操作部２への装着だけでなく、取り外しも容易にすばやく行うことができるため、術者にストレスを感じさせることなく施術効率の向上をもたらすことができる。
【００２９】
以上が本発明の実施形態に関する説明である。本発明は、上記の構成に限定されるものではなく、本発明の技術的思想の範囲において様々な変形が可能である。例えば、上記では１つの洗浄アダプタにて２つのシリンダを洗浄する場合について説明したが、本発明の洗浄アダプタはこれに限らず、１つの洗浄アダプタにて１つのシリンダを洗浄する構成としても、３つ以上のシリンダを洗浄する構成とすることもできる。また、各プラグの形状は上記の形状に限らず、種々の形状を採用することができる。また、シリンダ把持部材の水平部の先端部とシリンダのフランジの端部について、互いに当接する面は上記のテーパ面以外の形状とすることも可能である。具体的には、シリンダ把持部材の水平部の先端部は、シリンダのフランジの端部に当接する面を曲面等にすることで、シリンダ把持部材がフランジの端部によって外側に押し退けられる動作をより円滑に行うことができる。なお、プラグの筐体に対する摺動部を小径部とする場合、小径部の断面及びプラグが挿通する筐体の孔は、プラグの回動を防止できれば任意の非円形状にすることができる。
【符号の説明】
【００３０】
１    洗浄アダプタ
２    操作部
１０    筐体
１１    吸引用プラグ
１２    送気送水用プラグ
１１ａ，１２ａ，１１ｂ，１２ｂ，２３ｂ，２４ｂ    フランジ
１２ｇ    プラグの小径部
１２ｈ    プラグの大径部
１３    シリンダ把持部材
１３ａ    シリンダ把持部材の水平部
１３ｂ    シリンダ把持部材の先端部
１４    シャフト
１５，１６    トーションばね
１７，１８    コイルばね
２３    吸引用シリンダ
２４    送気送水用シリンダ
【図１】
2011101773.tif 000003
【図２】
2011101773.tif 000004
【図３】
2011101773.tif 000005
【図４】
2011101773.tif 000006
【図５】
2011101773.tif 000007
【図６】
2011101773.tif 000008